(57)【要約】【課題】助記憶装置に記憶されている印刷データを印刷する場合の操作性を向上させる。【解決手段】ユーザ認証部３２３は、ＵＳＢメモリ２０から読み出されたユーザ識別情報に基づいてユーザ認証を行い、印刷ジョブ判断部３２４は、ユーザの認証が成功した場合、ユーザ識別情報に対応付けられている印刷ジョブが印刷ジョブ記憶部３３１に記憶されているか否かを判断し、印刷データ判断部３２６は、印刷ジョブが記憶されていないと判断された場合、ＵＳＢメモリ２０に印刷データが記憶されているか否かを判断し、操作表示部３４は、ＵＳＢメモリ２０に印刷データが記憶されていると判断された場合、ＵＳＢメモリ２０から読み出された印刷データを一覧表示し、印刷処理する印刷データのユーザによる選択を受け付け、印刷部３５は、受け付けられた印刷データを印刷する。【選択図】図３
2008236364.tif 000002
【特許請求の範囲】
【請求項１】
ユーザを識別するためのユーザ識別情報と、印刷処理される印刷データとが対応付けられた印刷ジョブを記憶する印刷ジョブ記憶部と、
前記ユーザ識別情報を記憶する補助記憶装置から前記ユーザ識別情報を読み出す情報読出部と、
前記情報読出部によって読み出された前記ユーザ識別情報に基づいてユーザ認証を行うユーザ認証部と、
前記ユーザ認証部によってユーザの認証が成功した場合、前記ユーザ識別情報に対応付けられている前記印刷ジョブが前記印刷ジョブ記憶部に記憶されているか否かを判断する印刷ジョブ判断部と、
前記印刷ジョブ判断部によって前記印刷ジョブが前記印刷ジョブ記憶部に記憶されていないと判断された場合、前記補助記憶装置に印刷データが記憶されているか否かを判断する印刷データ判断部と、
前記印刷データ判断部によって前記補助記憶装置に印刷データが記憶されていると判断された場合、前記補助記憶装置から前記印刷データを読み出す印刷データ読出部と、
前記印刷データ読出部によって読み出された前記印刷データを一覧表示する表示部と、
前記表示部によって一覧表示された前記印刷データの中から、印刷処理する前記印刷データのユーザによる選択を受け付ける印刷データ選択受付部と、
前記印刷データ選択受付部によって受け付けられた前記印刷データを印刷する印刷部とを備えることを特徴とする画像形成装置。
【請求項２】
前記印刷部は、前記印刷ジョブ判断部によって前記印刷ジョブが前記印刷ジョブ記憶部に記憶されていると判断された場合、前記印刷ジョブ記憶部に記憶されている前記印刷ジョブのうち、前記情報読出部によって読み出されたユーザ識別情報に対応付けられている前記印刷データを印刷することを特徴とする請求項１記載の画像形成装置。
【請求項３】
前記印刷データ判断部は、前記印刷ジョブ記憶部に記憶されている前記印刷ジョブのうち、前記情報読出部によって読み出されたユーザ識別情報に対応付けられている前記印刷データを印刷した後、前記補助記憶装置に前記印刷データが記憶されているか否かを判断することを特徴とする請求項２記載の画像形成装置。
【請求項４】
前記印刷データ判断部は、前記印刷ジョブ判断部によって前記印刷ジョブが前記印刷ジョブ記憶部に記憶されていると判断された場合、前記補助記憶装置に前記印刷データが記憶されているか否かを判断し、
前記印刷データ判断部によって前記補助記憶装置に印刷データが記憶されていると判断された場合、前記印刷ジョブの印刷データと前記補助記憶装置の印刷データとのうちのどちらを印刷するかのユーザによる選択を受け付ける出力元選択受付部をさらに備え、
前記印刷部は、前記出力元選択受付部によって前記印刷ジョブの印刷データが選択された場合、前記印刷ジョブ記憶部に記憶されている前記印刷ジョブのうち、前記情報読出部によって読み出されたユーザ識別情報に対応付けられている前記印刷データを印刷し、
前記印刷データ読出部は、前記出力元選択受付部によって前記補助記憶装置の印刷データが選択された場合、前記補助記憶装置から前記印刷データを読み出すことを特徴とする請求項１記載の画像形成装置。
【請求項５】
前記印刷データ判断部は、前記印刷ジョブ判断部によって前記印刷ジョブが前記印刷ジョブ記憶部に記憶されていると判断された場合、前記補助記憶装置に前記印刷データが記憶されているか否かを判断し、
前記印刷データ判断部によって前記補助記憶装置に印刷データが記憶されていると判断された場合、前記印刷ジョブの印刷データと前記補助記憶装置の印刷データとのうちのどちらを先に印刷するかのユーザによる選択を受け付ける優先出力元選択受付部をさらに備え、
前記印刷部は、前記優先出力元選択受付部によって前記印刷ジョブの印刷データが選択された場合、前記印刷ジョブ記憶部に記憶されている前記印刷ジョブのうち、前記情報読出部によって読み出されたユーザ識別情報に対応付けられている前記印刷データを印刷し、
前記印刷データ読出部は、前記印刷ジョブの印刷データが印刷された後、前記補助記憶装置から前記印刷データを読み出し、
前記印刷データ読出部は、前記優先出力元選択受付部によって前記補助記憶装置の印刷データが選択された場合、前記補助記憶装置から前記印刷データを読み出し、
前記印刷部は、前記補助記憶装置の前記印刷データが印刷された後、前記印刷ジョブ記憶部に記憶されている前記印刷ジョブのうち、前記情報読出部によって読み出されたユーザ識別情報に対応付けられている前記印刷データを印刷することを特徴とする請求項１記載の画像形成装置。
【請求項６】
画像形成装置と、前記画像形成装置にネットワークを介して接続される外部機器と、前記画像形成装置に着脱可能な補助記憶装置とを備える画像形成システムであって、
前記外部機器は、
印刷処理される印刷データを、ユーザを識別するためのユーザ識別情報とともに前記画像形成装置へ送信する印刷データ送信部を備え、
前記補助記憶装置は、
前記ユーザ識別情報を記憶するユーザ識別情報記憶部と、
印刷処理される印刷データを記憶する印刷データ記憶部とを備え、
前記画像形成装置は、
前記印刷データ送信部によって送信された前記ユーザ識別情報及び前記印刷データを受信する印刷データ受信部と、
前記印刷データ受信部によって受信された、前記ユーザ識別情報と前記印刷データとが対応付けられた印刷ジョブを記憶する印刷ジョブ記憶部と、
前記ユーザ識別情報記憶部から前記ユーザ識別情報を読み出す情報読出部と、
前記情報読出部によって読み出された前記ユーザ識別情報に基づいてユーザ認証を行うユーザ認証部と、
前記ユーザ認証部によってユーザの認証が成功した場合、前記ユーザ識別情報に対応付けられている前記印刷ジョブが前記印刷ジョブ記憶部に記憶されているか否かを判断する印刷ジョブ判断部と、
前記印刷ジョブ判断部によって前記印刷ジョブが前記印刷ジョブ記憶部に記憶されていないと判断された場合、前記印刷データ記憶部に印刷データが記憶されているか否かを判断する印刷データ判断部と、
前記印刷データ判断部によって前記印刷データ記憶部に印刷データが記憶されていると判断された場合、前記印刷データ記憶部から前記印刷データを読み出す印刷データ読出部と、
前記印刷データ読出部によって読み出された前記印刷データを一覧表示する表示部と、
前記表示部によって一覧表示された前記印刷データの中から、印刷処理する前記印刷データのユーザによる選択を受け付ける印刷データ選択受付部と、
前記印刷データ選択受付部によって受け付けられた前記印刷データを印刷する印刷部とを備えることを特徴とする画像形成システム。
【発明の詳細な説明】
【技術分野】
【０００１】
本発明は、ユーザ認証を行い、認証されたユーザ宛のジョブの印刷を行う画像形成装置及び画像形成システムに関するものである。
【背景技術】
【０００２】
従来、ユーザ認証を行い、認証されたユーザ宛のジョブの印刷を行う画像形成装置が知られている。例えば、特許文献１には、受信した各ユーザ宛てのジョブを一旦蓄積し、ユーザ認証が成功したことに応答して、蓄積されたジョブのうち認証されたユーザ宛てに送信されたジョブを画面上に一覧表示し、各ジョブについて記録すべきか否かを取捨選択するユーザ操作を受容し、選択されたジョブの記録動作を実行する情報記録システムが開示されている。これにより、ジョブ発行とは隔たった時間及び場所であっても、セキュリティを維持しながら情報を記録、複製、印刷出力することができる。
【特許文献１】特開２００１−２４３６９９号公報
【発明の開示】
【発明が解決しようとする課題】
【０００３】
特許文献１における情報記録システムでは、ユーザ認証が成功したことに応答して、そのユーザ宛に送信されたジョブが画面上に表示される。そのため、例えばＵＳＢ（ユニバーサル・シリアル・バス）メモリ等の補助記憶装置に記憶された認証データを用いてユーザ認証し、補助記憶装置に認証データとともに記憶された印刷可能なデータを印刷出力したい場合であっても、認証されたユーザ宛のジョブが表示されてしまう。この場合、ユーザは、一覧表示された各ジョブを取捨選択して選択したジョブを印刷しなければ、補助記憶装置に記憶されたデータを印刷出力するこができず、操作が煩雑となるという問題を有している。
【０００４】
本発明は、上記の問題を解決するためになされたもので、補助記憶装置に記憶されている印刷データを印刷する場合の操作性を向上させることができる画像形成装置及び画像形成システムを提供することを目的とするものである。
【課題を解決するための手段】
【０００５】
本発明に係る画像形成装置は、ユーザを識別するためのユーザ識別情報と、印刷処理される印刷データとが対応付けられた印刷ジョブを記憶する印刷ジョブ記憶部と、前記ユーザ識別情報を記憶する補助記憶装置から前記ユーザ識別情報を読み出す情報読出部と、前記情報読出部によって読み出された前記ユーザ識別情報に基づいてユーザ認証を行うユーザ認証部と、前記ユーザ認証部によってユーザの認証が成功した場合、前記ユーザ識別情報に対応付けられている前記印刷ジョブが前記印刷ジョブ記憶部に記憶されているか否かを判断する印刷ジョブ判断部と、前記印刷ジョブ判断部によって前記印刷ジョブが前記印刷ジョブ記憶部に記憶されていないと判断された場合、前記補助記憶装置に印刷データが記憶されているか否かを判断する印刷データ判断部と、前記印刷データ判断部によって前記補助記憶装置に印刷データが記憶されていると判断された場合、前記補助記憶装置から前記印刷データを読み出す印刷データ読出部と、前記印刷データ読出部によって読み出された前記印刷データを一覧表示する表示部と、前記表示部によって一覧表示された前記印刷データの中から、印刷処理する前記印刷データのユーザによる選択を受け付ける印刷データ選択受付部と、前記印刷データ選択受付部によって受け付けられた前記印刷データを印刷する印刷部とを備える。
【０００６】
この構成によれば、ユーザを識別するためのユーザ識別情報と、印刷処理される印刷データとが対応付けられた印刷ジョブが印刷ジョブ記憶部に記憶される。そして、ユーザ識別情報を記憶する補助記憶装置からユーザ識別情報が読み出され、補助記憶装置から読み出されたユーザ識別情報に基づいてユーザ認証が行われる。ユーザの認証が成功した場合、ユーザ識別情報に対応付けられている印刷ジョブが印刷ジョブ記憶部に記憶されているか否かが判断される。印刷ジョブが印刷ジョブ記憶部に記憶されていないと判断された場合、補助記憶装置に印刷データが記憶されているか否かが判断される。補助記憶装置に印刷データが記憶されていると判断された場合、補助記憶装置から印刷データが読み出され、読み出された印刷データが一覧表示される。その後、一覧表示された印刷データの中から、印刷処理する印刷データのユーザによる選択が受け付けられ、受け付けられた印刷データが印刷される。
【０００７】
したがって、画像形成装置の印刷ジョブが一覧表示されるのではなく、補助記憶装置に記憶されている印刷データが一覧表示され、一覧表示された印刷データの中からユーザの選択した印刷データが印刷されるので、補助記憶装置に記憶されている印刷データを印刷する場合の操作性を向上させることができる。
【０００８】
また、上記の画像形成装置において、前記印刷部は、前記印刷ジョブ判断部によって前記印刷ジョブが前記印刷ジョブ記憶部に記憶されていると判断された場合、前記印刷ジョブ記憶部に記憶されている印刷ジョブのうち、前記情報読出部によって読み出されたユーザ識別情報に対応付けられている前記印刷データを印刷することが好ましい。
【０００９】
この構成によれば、ユーザの認証が成功し、印刷ジョブが印刷ジョブ記憶部に記憶されていると判断された場合、印刷ジョブ記憶部に記憶されている印刷ジョブのうち、ユーザ識別情報に対応付けられている印刷データが印刷されるので、他人に印刷ジョブの内容を見られることがなく、高いセキュリティを維持することができる。
【００１０】
また、上記の画像形成装置において、前記印刷データ判断部は、印刷ジョブ記憶部に記憶されている印刷ジョブのうち、前記情報読出部によって読み出された前記ユーザ識別情報に対応付けられている前記印刷データを印刷した後、前記補助記憶装置に前記印刷データが記憶されているか否かを判断することが好ましい。
【００１１】
この構成によれば、印刷ジョブ記憶部に記憶されている印刷ジョブのうち、補助記憶装置から読み出されたユーザ識別情報に対応付けられている印刷データが印刷された後、補助記憶装置に印刷データが記憶されているか否かが判断される。したがって、印刷ジョブ記憶部に印刷ジョブが記憶されており、かつ補助記憶装置に印刷データが記憶されている場合であっても、印刷ジョブの印刷データを自動的に印刷した後、補助記憶装置の印刷データを印刷することができる。
【００１２】
また、上記の画像形成装置において、前記印刷データ判断部は、前記印刷ジョブ判断部によって前記印刷ジョブが前記印刷ジョブ記憶部に記憶されていると判断された場合、前記補助記憶装置に前記印刷データが記憶されているか否かを判断し、前記印刷データ判断部によって前記補助記憶装置に印刷データが記憶されていると判断された場合、前記印刷ジョブの印刷データと前記補助記憶装置の印刷データとのうちのどちらを印刷するかのユーザによる選択を受け付ける出力元選択受付部をさらに備え、前記印刷部は、前記出力元選択受付部によって前記印刷ジョブの印刷データが選択された場合、前記印刷ジョブ記憶部に記憶されている前記印刷ジョブのうち、前記情報読出部によって読み出されたユーザ識別情報に対応付けられている前記印刷データを印刷し、前記印刷データ読出部は、前記出力元選択受付部によって前記補助記憶装置の印刷データが選択された場合、前記補助記憶装置から前記印刷データを読み出すことが好ましい。
【００１３】
この構成によれば、印刷ジョブが印刷ジョブ記憶部に記憶されていると判断された場合、補助記憶装置に印刷データが記憶されているか否かが判断される。そして、補助記憶装置に印刷データが記憶されていると判断された場合、印刷ジョブの印刷データと補助記憶装置の印刷データとのうちのどちらを印刷するかのユーザによる選択が受け付けられる。ここで、印刷ジョブの印刷データが選択された場合、印刷ジョブ記憶部に記憶されている印刷ジョブのうち、補助記憶装置から読み出されたユーザ識別情報に対応付けられている印刷データが印刷される。一方、補助記憶装置の印刷データが選択された場合、補助記憶装置から印刷データが読み出され、補助記憶装置に記憶されている印刷データが一覧表示され、一覧表示された印刷データの中からユーザの選択した印刷データが印刷される。
【００１４】
したがって、印刷ジョブ記憶部に印刷ジョブが記憶されており、かつ補助記憶装置に印刷データが記憶されている場合であっても、印刷ジョブの印刷データと補助記憶装置の印刷データとのうちのユーザが選択したいずれか一方を印刷することができる。
【００１５】
また、上記の画像形成装置において、前記印刷データ判断部は、前記印刷ジョブ判断部によって前記印刷ジョブが前記印刷ジョブ記憶部に記憶されていると判断された場合、前記補助記憶装置に前記印刷データが記憶されているか否かを判断し、前記印刷データ判断部によって前記補助記憶装置に印刷データが記憶されていると判断された場合、前記印刷ジョブの印刷データと前記補助記憶装置の印刷データとのうちのどちらを先に印刷するかのユーザによる選択を受け付ける優先出力元選択受付部をさらに備え、前記印刷部は、前記優先出力元選択受付部によって前記印刷ジョブの印刷データが選択された場合、前記印刷ジョブ記憶部に記憶されている前記印刷ジョブのうち、前記情報読出部によって読み出されたユーザ識別情報に対応付けられている前記印刷データを印刷し、前記印刷データ読出部は、前記印刷ジョブの印刷データが印刷された後、前記補助記憶装置から前記印刷データを読み出し、前記印刷データ読出部は、前記優先出力元選択受付部によって前記補助記憶装置の印刷データが選択された場合、前記補助記憶装置から前記印刷データを読み出し、前記印刷部は、前記補助記憶装置の前記印刷データが印刷された後、前記印刷ジョブ記憶部に記憶されている前記印刷ジョブのうち、前記情報読出部によって読み出されたユーザ識別情報に対応付けられている前記印刷データを印刷することが好ましい。
【００１６】
この構成によれば、印刷ジョブが印刷ジョブ記憶部に記憶されていると判断された場合、補助記憶装置に前記印刷データが記憶されているか否かが判断される。補助記憶装置に印刷データが記憶されていると判断された場合、印刷ジョブの印刷データと補助記憶装置の印刷データとのうちのどちらを先に印刷するかのユーザによる選択が受け付けられる。ここで、印刷ジョブの印刷データが選択された場合、印刷ジョブ記憶部に記憶されている印刷ジョブのうち、ユーザ識別情報に対応付けられている印刷データが印刷される。そして、印刷ジョブの印刷データが印刷された後、補助記憶装置から前記印刷データが読み出され、補助記憶装置に記憶されている印刷データが一覧表示され、一覧表示された印刷データの中からユーザの選択した印刷データが印刷される。一方、補助記憶装置の印刷データが選択された場合、補助記憶装置から印刷データが読み出され、補助記憶装置に記憶されている印刷データが一覧表示され、一覧表示された印刷データの中からユーザの選択した印刷データが印刷される。そして、補助記憶装置の印刷データが印刷された後、印刷ジョブ記憶部に記憶されている印刷ジョブのうち、ユーザ識別情報に対応付けられている印刷データが印刷される。
【００１７】
したがって、印刷ジョブ記憶部に印刷ジョブが記憶されており、かつ補助記憶装置に印刷データが記憶されている場合であっても、印刷ジョブの印刷データと補助記憶装置の印刷データとをユーザが選択した順番で印刷することができる。
【００１８】
本発明に係る画像形成システムは、画像形成装置と、前記画像形成装置にネットワークを介して接続される外部機器と、前記画像形成装置に着脱可能な補助記憶装置とを備える画像形成システムであって、前記外部機器は、印刷処理される印刷データを、ユーザを識別するためのユーザ識別情報とともに前記画像形成装置へ送信する印刷データ送信部を備え、前記補助記憶装置は、前記ユーザ識別情報を記憶するユーザ識別情報記憶部と、印刷処理される印刷データを記憶する印刷データ記憶部とを備え、前記画像形成装置は、前記印刷データ送信部によって送信された前記ユーザ識別情報及び前記印刷データを受信する印刷データ受信部と、前記印刷データ受信部によって受信された、前記ユーザ識別情報と前記印刷データとが対応付けられた印刷ジョブを記憶する印刷ジョブ記憶部と、前記ユーザ識別情報記憶部から前記ユーザ識別情報を読み出す情報読出部と、前記情報読出部によって読み出された前記ユーザ識別情報に基づいてユーザ認証を行うユーザ認証部と、前記ユーザ認証部によってユーザの認証が成功した場合、前記ユーザ識別情報に対応付けられている前記印刷ジョブが前記印刷ジョブ記憶部に記憶されているか否かを判断する印刷ジョブ判断部と、前記印刷ジョブ判断部によって前記印刷ジョブが前記印刷ジョブ記憶部に記憶されていないと判断された場合、前記印刷データ記憶部に印刷データが記憶されているか否かを判断する印刷データ判断部と、前記印刷データ判断部によって前記印刷データ記憶部に印刷データが記憶されていると判断された場合、前記印刷データ記憶部から前記印刷データを読み出す印刷データ読出部と、前記印刷データ読出部によって読み出された前記印刷データを一覧表示する表示部と、前記表示部によって一覧表示された前記印刷データの中から、印刷処理する前記印刷データのユーザによる選択を受け付ける印刷データ選択受付部と、前記印刷データ選択受付部によって受け付けられた前記印刷データを印刷する印刷部とを備える。
【００１９】
この構成によれば、外部機器から、印刷処理される印刷データが、ユーザを識別するためのユーザ識別情報とともに画像形成装置へ送信される。補助記憶装置のユーザ識別情報記憶部には、ユーザ識別情報が記憶されており、印刷データ記憶部には、印刷処理される印刷データが記憶されている。画像形成装置において、外部機器によって送信されたユーザ識別情報及び印刷データが受信され、ユーザ識別情報と印刷データとが対応付けられた印刷ジョブが印刷ジョブ記憶部に記憶される。そして、ユーザ識別情報記憶部からユーザ識別情報が読み出され、読み出されたユーザ識別情報に基づいてユーザ認証が行われる。ユーザの認証が成功した場合、ユーザ識別情報に対応付けられている印刷ジョブが印刷ジョブ記憶部に記憶されているか否かが判断される。印刷ジョブが印刷ジョブ記憶部に記憶されていないと判断された場合、印刷データ記憶部に印刷データが記憶されているか否かが判断される。印刷データ記憶部に印刷データが記憶されていると判断された場合、印刷データ記憶部から印刷データが読み出され、読み出された印刷データが一覧表示される。その後、一覧表示された印刷データの中から、印刷処理する印刷データのユーザによる選択が受け付けられ、受け付けられた印刷データが印刷される。
【００２０】
したがって、画像形成装置の印刷ジョブが一覧表示されるのではなく、補助記憶装置に記憶されている印刷データが一覧表示され、一覧表示された印刷データの中からユーザの選択した印刷データが印刷されるので、補助記憶装置に記憶されている印刷データを印刷する場合の操作性を向上させることができる。
【発明の効果】
【００２１】
本発明によれば、画像形成装置の印刷ジョブが一覧表示されるのではなく、補助記憶装置に記憶されている印刷データが一覧表示され、一覧表示された印刷データの中からユーザの選択した印刷データが印刷されるので、補助記憶装置に記憶されている印刷データを印刷する場合の操作性を向上させることができる。
【発明を実施するための最良の形態】
【００２２】
以下、図面を参照しつつ本発明の実施の形態による画像形成装置及び画像形成システムについて説明する。なお、各図において同一の符号を付した構成は、同一の構成であることを示し、その説明を省略する。また、以下の実施の形態は、本発明を具体化した一例であって、本発明の技術的範囲を限定する性格のものではない。
【００２３】
（実施の形態１）
図１は、実施の形態１における画像形成システムのネットワーク構成図である。図１に示す画像形成システム１は、外部機器１０、ＵＳＢメモリ２０及び画像形成装置３０を備えて構成される。画像形成装置３０は、ＬＡＮ（ローカル・エリア・ネットワーク）４０を介してＮ（Ｎは整数）台の外部機器１０と接続されている。
【００２４】
画像形成装置３０は、ＦＡＸ機能、ネットワークプリンタ機能、及びスキャナ機能を備えるデジタル複合機である。外部機器１０は、通信機能を備える通常のパーソナルコンピュータであり、画像形成装置３０に対して印刷データを送信する。この印刷データは、ワープロソフト、表計算ソフト、画像編集ソフト等のアプリケーションソフトウェア等を用いて外部機器１０のユーザにより作成され、かつ、印刷指令がなされたデータである。
【００２５】
ＵＳＢメモリ２０は、ユーザを識別するためのユーザ識別情報及び印刷データを記憶する。なお、本実施の形態では、補助記憶装置の一例としてＵＳＢメモリを用いているが、本発明は特にこれに限定されず、例えばＳＤメモリカード等の持ち運びが可能な他の補助記憶装置であってもよい。
【００２６】
外部機器１０及び画像形成装置３０には、ＵＳＢメモリ２０を装着するためのＵＳＢポートが設けられている。外部機器１０は、ＵＳＢポートを介してＵＳＢメモリ２０にユーザ識別情報及び印刷データを記憶する。画像形成装置３０は、ＵＳＢポートを介してＵＳＢメモリ２０に記憶されているユーザ識別情報及び印刷データを読み出す。
【００２７】
図２は、図１に示す画像形成装置３０の内部構成図である。画像形成装置３０は、本体部２００と、本体部２００の左側に配設された用紙後処理部３００と、ユーザが種々の操作指令等を入力するための操作部４００と、本体部２００の上部に配設された原稿読取部５００と、原稿読取部５００の上方に配設された原稿給送部６００とを備える。
【００２８】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。なお、画像形成装置３０の適所、例えば操作部４００付近には、ＵＳＢメモリ２０を装着するためのＵＳＢポートが設けられている。
【００２９】
原稿給送部６００は、原稿載置部６０１、原稿排出部６０２、給紙ローラ６０３及び原稿搬送部６０４等を備え、原稿読取部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は、原稿搬送部６０４によって搬送される原稿を順次読み取る。原稿搬送部６０４は、読み取られた原稿を原稿排出部６０２に排出する。
【００３０】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０等を備える。
【００３１】
感光体ドラム２０５は、矢印方向に回転しながら帯電装置（図示省略）によって一様に帯電される。露光装置２０６は、原稿読取部５００において読み取られた原稿の印刷データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー像を形成する。
【００３２】
中間転写体ローラ２０４は、感光体ドラム２０５から各色のトナー像が転写され、中間転写体ローラ２０４上にカラーのトナー像が形成される。
【００３３】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００３４】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３５】
図３は、実施の形態１における画像形成システムの構成を示すブロック図である。外部機器１０は、印刷データ送信部１１を備える。印刷データ送信部１１は、印刷処理される印刷データを、ユーザを識別するためのユーザ識別情報とともに画像形成装置３０へ送信する。
【００３６】
ＵＳＢメモリ２０は、ユーザ識別情報記憶部２１及び印刷データ記憶部２２を備える。ユーザ識別情報記憶部２１は、ユーザを識別するためのユーザ識別情報を記憶する。印刷データ記憶部２２は、印刷処理される印刷データを記憶する。ユーザ識別情報及び印刷データは、外部機器１０によって作成されて記憶される。
【００３７】
画像形成装置３０は、印刷データ受信部３１、制御部３２、記憶部３３、操作表示部３４及び印刷部３５を備える。印刷データ受信部３１は、ＬＡＮボード等の通信インタフェースで構成され、外部機器１０の印刷データ送信部１１によって送信されたユーザ識別情報及び印刷データを受信する。
【００３８】
制御部３２は、例えばＣＰＵ（中央演算処理装置）、ＲＯＭ（リードオンリメモリ）及びＲＡＭ（ランダムアクセスメモリ）等から構成され、画像形成装置全体を制御する。制御部３２は、印刷ジョブ生成部３２１、ユーザ識別情報読出部３２２、ユーザ認証部３２３、印刷ジョブ判断部３２４、印刷ジョブ抽出部３２５、印刷データ判断部３２６、印刷データ読出部３２７、一覧表作成部３２８及び印刷制御部３２９を備える。記憶部３３は、例えばＨＤＤ（ハードディスクドライブ）等から構成され、印刷ジョブ記憶部３３１を備える。操作表示部３４は、図１に示す操作部４００等から構成され、印刷データ選択受付部３４１を備える。
【００３９】
印刷ジョブ生成部３２１は、印刷データ受信部３１によって受信された、ユーザを識別するためのユーザ識別情報と、印刷処理される印刷データとを対応付けた印刷ジョブを生成する。印刷ジョブ生成部３２１は、生成した印刷ジョブを記憶部３３の印刷ジョブ記憶部３３１に記憶する。印刷ジョブ記憶部３３１は、印刷ジョブ生成部３２１によって生成された印刷ジョブを記憶する。ユーザ識別情報読出部３２２は、ＵＳＢメモリ２０のユーザ識別情報記憶部２１からユーザ識別情報を読み出す。
【００４０】
ユーザ認証部３２３は、ユーザ識別情報読出部３２２によって読み出されたユーザ識別情報に基づいてユーザ認証を行う。ユーザ認証部３２３は、ユーザ識別情報読出部３２２によって読み出されたユーザ識別情報が、ユーザ認証部３２３が予め保持するユーザ識別情報リストに存在するか否かをチェックする。ユーザ認証部３２３は、ユーザ識別情報がユーザ識別情報リストに存在する場合、認証成功であると判断し、ユーザ識別情報がユーザ識別情報リストに存在しない場合、認証不成功であると判断する。このようにして、ユーザ認証部３２３は、ユーザ識別情報読出部３２２によって読み出されたユーザ識別情報を基に、当該ユーザ識別情報が記憶されたＵＳＢメモリ２０を装置に装着したユーザが当該装置を使用する権限を有するユーザであるか否かを判定する。なお、ユーザ識別情報は、ユーザにより操作表示部３４を用いて予め入力され、ユーザ認証部３２３のユーザ識別情報リストに登録される。
【００４１】
なお、本実施の形態では、ユーザ識別情報は例えばユーザＩＤであり、ＵＳＢメモリ２０から読み出したユーザＩＤが画像形成装置３０に予め記憶されているユーザＩＤと一致するか否かを判断することにより、ユーザ認証を行っているが、本発明は特にこれに限定されず、ユーザ識別情報は例えばユーザＩＤ及びパスワードであってもよく、ユーザＩＤとともにパスワードの入力を受け付けることにより、セキュリティをより高めることができる。
【００４２】
印刷ジョブ判断部３２４は、ユーザ認証部３２３によってユーザの認証が成功した場合、ユーザ識別情報に対応付けられている印刷ジョブが印刷ジョブ記憶部３３１に記憶されているか否かを判断する。
【００４３】
印刷ジョブ抽出部３２５は、印刷ジョブ判断部３２４によって印刷ジョブ記憶部３３１に印刷ジョブが記憶されていると判断された場合、印刷ジョブ記憶部３３１に記憶されている印刷ジョブの中から、ユーザ識別情報読出部３２２によって読み出されたユーザ識別情報に対応付けられた印刷ジョブを抽出する。
【００４４】
印刷データ判断部３２６は、印刷ジョブ判断部３２４によって印刷ジョブが記憶されていないと判断された場合、ＵＳＢメモリ２０の印刷データ記憶部２２に印刷データが記憶されているか否かを判断する。また、印刷データ判断部３２６は、印刷ジョブ記憶部３３１に記憶されているユーザ識別情報に対応付けられている印刷ジョブに含まれる印刷データを印刷した後、ＵＳＢメモリ２０の印刷データ記憶部２２に印刷データが記憶されているか否かを判断する。
【００４５】
印刷データ読出部３２７は、印刷データ判断部３２６によってＵＳＢメモリ２０の印刷データ記憶部２２に印刷データが記憶されていると判断された場合、ＵＳＢメモリ２０の印刷データ記憶部２２から印刷データを読み出す。
【００４６】
一覧表作成部３２８は、印刷データ読出部３２７によって読み出された印刷データを一覧表示するための一覧表を作成する。なお、一覧表作成部３２８は、印刷データのサムネイル画像を一覧表として作成してもよく、印刷データを特定するデータ名を一覧表として作成してもよく、印刷データが作成された作成日時や印刷データがＵＳＢメモリ２０に記憶された日時を一覧表として作成してもよい。すなわち、一覧表作成部３２８は、ＵＳＢメモリ２０に記憶されている複数の印刷データを識別可能な態様で一覧表を作成する。一覧表作成部３２８は、作成した一覧表を操作表示部３４へ出力し、操作表示部３４に表示させる。
【００４７】
印刷データ選択受付部３４１は、操作表示部３４に一覧表示される印刷データの中から、印刷処理する印刷データのユーザによる選択を受け付ける。印刷制御部３２９は、印刷ジョブ抽出部３２５によって抽出された印刷ジョブの印刷データを印刷ジョブ記憶部３３１から読み出して印刷部３５へ出力し、記録紙に印刷させる。また、印刷制御部３２９は、印刷データ選択受付部３４１によって選択された印刷データを印刷部３５へ出力し、記録紙に印刷させる。
【００４８】
印刷部３５は、図２に示す転写ローラ２０３、中間転写体ローラ２０４、感光体ドラム２０５、露光装置２０６、及び現像装置２０７Ｙ，２０７Ｍ，２０７Ｃ，２０７Ｋ等から構成され、印刷制御部３２９から出力された印刷データを記録紙に印刷する。すなわち、印刷部３５は、印刷データ選択受付部３４１によって受け付けられた印刷データを印刷する。また、印刷部３５は、印刷ジョブ判断部３２４によって印刷ジョブが印刷ジョブ記憶部３３１に記憶されていると判断された場合、印刷ジョブ記憶部３３１に記憶されている印刷ジョブのうち、ユーザ識別情報読出部３２２によって読み出されたユーザ識別情報に対応付けられている印刷データを印刷する。
【００４９】
次に、実施の形態１における画像形成装置の動作について説明する。図４及び図５は、実施の形態１における画像形成装置の動作について説明するためのフローチャートである。
【００５０】
まず、ステップＳ１において、印刷データ受信部３１は、ユーザを識別するためのユーザ識別情報及び印刷処理される印刷データを外部機器１０から受信したか否かを判断する。ここで、ユーザ識別情報及び印刷データを受信したと判断された場合（ステップＳ１でＹＥＳ）、印刷データ受信部３１は、受信したユーザ識別情報及び印刷データを印刷ジョブ生成部３２１へ出力する。
【００５１】
次に、ステップＳ２において、印刷ジョブ生成部３２１は、印刷データ受信部３１によって受信されたユーザ識別情報と印刷データとを対応付けた印刷ジョブを生成する。次に、ステップＳ３において、印刷ジョブ生成部３２１は、生成した印刷ジョブを印刷ジョブ記憶部３３１に記憶する。
【００５２】
ユーザ識別情報及び印刷データを受信していないと判断された場合（ステップＳ１でＮＯ）、又は印刷ジョブが印刷ジョブ記憶部３３１に記憶された後、ステップＳ４において、ユーザ識別情報読出部３２２は、ＵＳＢメモリ２０が画像形成装置３０に装着されたか否かを判断する。ここで、ＵＳＢメモリ２０が画像形成装置３０に装着されていないと判断された場合（ステップＳ４でＮＯ）、ステップＳ１の処理へ戻り、ユーザ識別情報及び印刷データを受信したか否かの判断が行われる。
【００５３】
一方、ＵＳＢメモリ２０が画像形成装置３０に装着されたと判断された場合（ステップＳ４でＹＥＳ）、ステップＳ５において、ユーザ識別情報読出部３２２は、ＵＳＢメモリ２０のユーザ識別情報記憶部２１からユーザ識別情報を読み出す。
【００５４】
次に、ステップＳ６において、ユーザ認証部３２３は、ユーザ識別情報読出部３２２によって読み出されたユーザ識別情報が、ユーザ認証部３２３が予め保持するユーザ識別情報リストに存在するか否かをチェックする。ユーザ認証部３２３は、ユーザ識別情報がユーザ識別情報リストに存在する場合、ユーザ認証が成功したと判断し、ユーザ識別情報がユーザ識別情報リストに存在しない場合、ユーザ認証が失敗したと判断する。ユーザ認証が失敗したと判断された場合（ステップＳ６でＮＯ）、ステップＳ１の処理に戻り、ユーザ識別情報及び印刷データを受信したか否かが判断される。なお、このとき、ユーザ認証部３２３は、ユーザ認証が失敗した旨をユーザに報知する画面を操作表示部３４に表示してもよい。
【００５５】
一方、ユーザ認証が成功したと判断された場合（ステップＳ６でＹＥＳ）、ステップＳ７において、印刷ジョブ判断部３２４は、ユーザ識別情報読出部３２２によって読み出されたユーザ識別情報に対応付けられている印刷ジョブが印刷ジョブ記憶部３３１に記憶されているか否かを判断する。ここで、ユーザ識別情報に対応付けられている印刷ジョブが印刷ジョブ記憶部３３１に記憶されていると判断された場合（ステップＳ７でＹＥＳ）、ステップＳ８において、印刷ジョブ抽出部３２５は、印刷ジョブ記憶部３３１に記憶されている印刷ジョブの中から、ユーザ識別情報読出部３２２によって読み出されたユーザ識別情報に対応付けられた印刷ジョブを抽出する。
【００５６】
次に、ステップＳ９において、印刷制御部３２９は、印刷ジョブ抽出部３２５によって抽出された印刷ジョブの印刷データを印刷ジョブ記憶部３３１から読み出して印刷部３５へ出力し、記録紙に印刷させる。
【００５７】
次に、ステップＳ１０において、印刷制御部３２９は、印刷ジョブ抽出部３２５によって抽出された全ての印刷ジョブの印刷データを印刷したか否かを判断する。ここで、全ての印刷ジョブの印刷データを印刷していないと判断された場合（ステップＳ１０でＮＯ）、ステップＳ９の処理へ戻り、別の印刷ジョブの印刷データが印刷され、全ての印刷ジョブの印刷データを印刷するまで、ステップＳ９及びステップＳ１０の処理が繰り返し実行される。
【００５８】
一方、全ての印刷ジョブの印刷データを印刷したと判断された場合（ステップＳ１０でＹＥＳ）、又はユーザ識別情報に対応付けられている印刷ジョブが印刷ジョブ記憶部３３１に記憶されていないと判断された場合（ステップＳ７でＮＯ）、ステップＳ１１において、印刷データ判断部３２６は、ＵＳＢメモリ２０の印刷データ記憶部２２に印刷データが記憶されているか否かを判断する。ここで、ＵＳＢメモリ２０の印刷データ記憶部２２に印刷データが記憶されていないと判断された場合（ステップＳ１１でＮＯ）、ステップＳ１の処理に戻り、ユーザ識別情報及び印刷データを受信したか否かが判断される。なお、このとき、印刷データ判断部３２６は、ＵＳＢメモリ２０の印刷データ記憶部２２に印刷データが記憶されていない旨をユーザに報知する画面を操作表示部３４に表示してもよい。
【００５９】
一方、ＵＳＢメモリ２０の印刷データ記憶部２２に印刷データが記憶されていると判断された場合（ステップＳ１１でＹＥＳ）、ステップＳ１２において、印刷データ読出部３２７は、ＵＳＢメモリ２０の印刷データ記憶部２２に記憶されている印刷データを読み出す。
【００６０】
次に、ステップＳ１３において、一覧表作成部３２８は、印刷データ読出部３２７によって読み出された印刷データを一覧表示するための一覧表を作成する。一覧表作成部３２８は、作成した印刷データの一覧表を操作表示部３４に表示させる。
【００６１】
次に、ステップＳ１４において、印刷データ選択受付部３４１は、操作表示部３４に一覧表示される印刷データの中から、印刷処理する印刷データのユーザによる選択を受け付ける。次に、ステップＳ１５において、印刷制御部３２９は、印刷データ選択受付部３４１によって選択された印刷データを印刷部３５へ出力し、記録紙に印刷させる。
【００６２】
次に、ステップＳ１６において、印刷制御部３２９は、印刷データ選択受付部３４１によって選択された全ての印刷データを印刷したか否かを判断する。ここで、全ての印刷データを印刷していないと判断された場合（ステップＳ１６でＮＯ）、ステップＳ１５の処理へ戻り、別の印刷データが印刷され、全ての印刷データを印刷するまで、ステップＳ１５及びステップＳ１６の処理が繰り返し実行される。一方、全ての印刷データを印刷したと判断された場合（ステップＳ１６でＹＥＳ）、ステップＳ１の処理に戻り、ユーザ識別情報及び印刷データを受信したか否かが判断される。
【００６３】
このように、外部機器１０から、印刷処理される印刷データが、ユーザを識別するためのユーザ識別情報とともに画像形成装置３０へ送信される。ＵＳＢメモリ２０のユーザ識別情報記憶部２１には、ユーザ識別情報が記憶されており、印刷データ記憶部２２には、印刷処理される印刷データが記憶されている。画像形成装置３０において、外部機器１０によって送信されたユーザ識別情報及び印刷データが受信され、ユーザ識別情報と印刷データとが対応付けられた印刷ジョブが印刷ジョブ記憶部３３１に記憶される。そして、ＵＳＢメモリ２０のユーザ識別情報記憶部２１からユーザ識別情報が読み出され、読み出されたユーザ識別情報に基づいてユーザ認証が行われる。ユーザの認証が成功した場合、ユーザ識別情報に対応付けられている印刷ジョブが印刷ジョブ記憶部３３１に記憶されているか否かが判断される。印刷ジョブが印刷ジョブ記憶部３３１に記憶されていないと判断された場合、ＵＳＢメモリ２０の印刷データ記憶部２２に印刷データが記憶されているか否かが判断される。ＵＳＢメモリ２０の印刷データ記憶部２２に印刷データが記憶されていると判断された場合、ＵＳＢメモリ２０の印刷データ記憶部２２から印刷データが読み出され、読み出された印刷データが一覧表示される。その後、一覧表示された印刷データの中から、印刷処理する印刷データのユーザによる選択が受け付けられ、受け付けられた印刷データが印刷される。
【００６４】
したがって、画像形成装置３０の印刷ジョブが一覧表示されるのではなく、ＵＳＢメモリ２０に記憶されている印刷データが一覧表示され、一覧表示された印刷データの中からユーザの選択した印刷データが印刷されるので、ＵＳＢメモリ２０に記憶されている印刷データを印刷する場合の操作性を向上させることができる。また、ＵＳＢメモリ２０を装着するだけで、ＵＳＢメモリ２０内の印刷データが一覧表示されるので、通常の印刷モードから、ＵＳＢメモリ２０内の印刷データを印刷する印刷モードへ切り替える操作が不要となり、ユーザの操作時間を短縮することができる。
【００６５】
また、ユーザの認証が成功し、印刷ジョブが印刷ジョブ記憶部３３１に記憶されていると判断された場合、印刷ジョブ記憶部３３１に記憶されている印刷ジョブのうち、ユーザ識別情報に対応付けられている印刷データが印刷されるので、他人に印刷ジョブの内容を見られることがなく、高いセキュリティを維持することができる。
【００６６】
さらに、印刷ジョブ記憶部３３１に記憶されている印刷ジョブのうち、ＵＳＢメモリ２０から読み出されたユーザ識別情報に対応付けられている印刷データが印刷された後、ＵＳＢメモリ２０に印刷データが記憶されているか否かが判断される。したがって、印刷ジョブ記憶部３３１に印刷ジョブが記憶されており、かつＵＳＢメモリ２０に印刷データが記憶されている場合であっても、印刷ジョブの印刷データを自動的に印刷した後、ＵＳＢメモリ２０の印刷データを印刷することができる。
【００６７】
（実施の形態２）
続いて、本発明の実施の形態２に係る画像形成装置及び画像形成システムについて説明する。実施の形態１では、画像形成装置３０に印刷ジョブが記憶されている場合、画像形成装置３０に記憶されている印刷ジョブが実行された後、ＵＳＢメモリ２０に印刷データが記憶されているか否かが判断される。これに対し、実施の形態２では、画像形成装置３０に印刷ジョブが記憶されている場合、ＵＳＢメモリ２０に印刷データが記憶されているか否かが判断される。そして、画像形成装置３０に印刷ジョブが記憶されており、かつＵＳＢメモリ２０に印刷データが記憶されている場合、どちらを印刷するかがユーザにより選択される。
【００６８】
図６は、実施の形態２における画像形成システムの構成を示すブロック図である。なお、以下の説明では、実施の形態１における画像形成システムと異なる構成についてのみ説明する。また、実施の形態２における画像形成システムのネットワーク構成は、図１に示す実施の形態１における画像形成システムのネットワーク構成と同じであり、実施の形態２における画像形成装置の内部構成は、図２に示す実施の形態１における画像形成装置の内部構成と同じである。
【００６９】
画像形成装置３０の制御部３２は、出力元選択画面作成部３３０をさらに備える。操作表示部３４は、出力元選択受付３４２をさらに備える。印刷データ判断部３２６は、印刷ジョブ判断部３２４によって印刷ジョブが記憶されていると判断された場合、ＵＳＢメモリ２０に印刷データが記憶されているか否かを判断する。出力元選択画面作成部３３０は、印刷ジョブ判断部３２４によって印刷ジョブが記憶されていると判断され、かつ印刷データ判断部３２６によってＵＳＢメモリ２０に印刷データが記憶されていると判断された場合、印刷ジョブと印刷データとのうちのどちらを印刷するかをユーザに選択させるための出力元選択画面を作成する。出力元選択受付３４２は、印刷ジョブと印刷データとのうちのどちらを印刷するかのユーザによる選択を受け付ける。
【００７０】
次に、実施の形態２における画像形成装置の動作について説明する。図７及び図８は、実施の形態２における画像形成装置の動作について説明するためのフローチャートである。なお、図７のステップＳ２１〜Ｓ２６の処理は、図４のステップＳ１〜Ｓ６の処理と同じであるので説明を省略する。
【００７１】
図８のステップＳ２７において、印刷ジョブ判断部３２４は、ユーザ識別情報読出部３２２によって読み出されたユーザ識別情報に対応付けられている印刷ジョブが印刷ジョブ記憶部３３１に記憶されているか否かを判断する。ここで、ユーザ識別情報に対応付けられている印刷ジョブが印刷ジョブ記憶部３３１に記憶されていないと判断された場合（ステップＳ２７でＮＯ）、ステップＳ３４において、印刷データ判断部３２６は、ＵＳＢメモリ２０の印刷データ記憶部２２に印刷データが記憶されているか否かを判断する。なお、図８のステップＳ３４〜Ｓ３９の処理は、図５のステップＳ１１〜Ｓ１６の処理と同じであるので説明を省略する。
【００７２】
一方、ユーザ識別情報に対応付けられている印刷ジョブが印刷ジョブ記憶部３３１に記憶されていると判断された場合（ステップＳ２７でＹＥＳ）、ステップＳ２８において、印刷データ判断部３２６は、ＵＳＢメモリ２０の印刷データ記憶部２２に印刷データが記憶されているか否かを判断する。
【００７３】
ここで、ＵＳＢメモリ２０の印刷データ記憶部２２に印刷データが記憶されていると判断された場合（ステップＳ２８でＹＥＳ）、ステップＳ２９において、出力元選択画面作成部３３０は、印刷ジョブの印刷データとＵＳＢメモリ２０の印刷データとのうちのどちらを印刷するかをユーザに選択させるための出力元選択画面を作成する。出力元選択画面作成部３３０は、作成した出力元選択画面を操作表示部３４へ出力し、出力元選択画面を表示させる。例えば、出力元選択画面には、画像形成装置３０内の印刷ジョブを選択するための印刷ジョブ選択ボタンと、ＵＳＢメモリ２０内の印刷データを選択するための印刷データ選択ボタンとが表示される。
【００７４】
次に、ステップＳ３０において、出力元選択受付３４２は、印刷ジョブを実行するか否かを判断する。出力元選択受付３４２は、印刷ジョブ記憶部３３１に記憶されている印刷ジョブと、印刷データ記憶部２２に記憶されている印刷データとのうちのどちらを印刷するかのユーザによる選択を受け付ける。例えば、出力元選択受付３４２は、出力元選択画面に表示される印刷ジョブ選択ボタン及び印刷データ選択ボタンのうちのいずれかのユーザによる選択を受け付ける。出力元選択受付３４２は、印刷ジョブ選択ボタンが選択された場合、画像形成装置３０内の印刷ジョブを実行すると判断し、印刷データ選択ボタンが選択された場合、印刷ジョブを実行せずにＵＳＢメモリ２０内の印刷データを印刷すると判断する。
【００７５】
画像形成装置３０に記憶されている印刷ジョブを実行しない、すなわち、ＵＳＢメモリ２０に記憶されている印刷データを印刷すると判断された場合（ステップＳ３０でＮＯ）、ステップＳ３５の処理へ移行し、ＵＳＢメモリ２０の印刷データ記憶部２２に記憶されている印刷データが読み出される。
【００７６】
一方、画像形成装置３０に記憶されている印刷ジョブを実行すると判断された場合（ステップＳ３０でＹＥＳ）、又はＵＳＢメモリ２０の印刷データ記憶部２２に印刷データが記憶されていないと判断された場合（ステップＳ２８でＮＯ）、ステップＳ３１において、印刷ジョブ抽出部３２５は、印刷ジョブ記憶部３３１に記憶されている印刷ジョブの中から、ユーザ識別情報読出部３２２によって読み出されたユーザ識別情報に対応付けられた印刷ジョブを抽出する。
【００７７】
次に、ステップＳ３２において、印刷制御部３２９は、印刷ジョブ抽出部３２５によって抽出された印刷ジョブの印刷データを印刷ジョブ記憶部３３１から読み出して印刷部３５へ出力し、記録紙に印刷させる。
【００７８】
次に、ステップＳ３３において、印刷制御部３２９は、印刷ジョブ抽出部３２５によって抽出された全ての印刷ジョブの印刷データを印刷したか否かを判断する。ここで、全ての印刷ジョブの印刷データを印刷していないと判断された場合（ステップＳ３３でＮＯ）、ステップＳ３２の処理へ戻り、別の印刷ジョブの印刷データが印刷され、全ての印刷ジョブの印刷データを印刷するまで、ステップＳ３２及びステップＳ３３の処理が繰り返し実行される。
【００７９】
一方、全ての印刷ジョブの印刷データを印刷したと判断された場合（ステップＳ３３でＹＥＳ）、ステップＳ２１の処理に戻り、ユーザ識別情報及び印刷データを受信したか否かが判断される。
【００８０】
このように、印刷ジョブが記憶されていると判断された場合、ＵＳＢメモリ２０に印刷データが記憶されているか否かが判断される。そして、ＵＳＢメモリ２０に印刷データが記憶されていると判断された場合、印刷ジョブの印刷データとＵＳＢメモリ２０の印刷データとのうちのどちらを印刷するかのユーザによる選択が受け付けられる。ここで、印刷ジョブが選択された場合、印刷ジョブ記憶部３３１に記憶されている印刷ジョブのうち、ＵＳＢメモリ２０から読み出されたユーザ識別情報に対応付けられている印刷データが印刷される。一方、印刷データが選択された場合、ＵＳＢメモリ２０から印刷データが読み出され、ＵＳＢメモリ２０に記憶されている印刷データが一覧表示され、一覧表示された印刷データの中からユーザの選択した印刷データが印刷される。
【００８１】
したがって、印刷ジョブ記憶部３３１に印刷ジョブが記憶されており、かつＵＳＢメモリ２０に印刷データが記憶されている場合であっても、印刷ジョブの印刷データとＵＳＢメモリ２０の印刷データとのうちのユーザが選択したいずれか一方を印刷することができる。
【００８２】
なお、実施の形態２では、印刷ジョブ記憶部３３１に印刷ジョブが記憶されており、かつＵＳＢメモリ２０に印刷データが記憶されている場合、印刷ジョブの印刷データとＵＳＢメモリ２０の印刷データとのうちのユーザが選択したいずれか一方のみを印刷しているが、本発明は特にこれに限定されず、印刷ジョブの印刷データとＵＳＢメモリ２０の印刷データとのうちのどちらを先に印刷するかを受け付け、いずれか一方を先に印刷し、他方を後から印刷してもよい。
【００８３】
図９は、実施の形態２の変形例における画像形成システムの構成を示すブロック図である。なお、以下の説明では、実施の形態１における画像形成システムと異なる構成についてのみ説明する。また、実施の形態２の変形例における画像形成システムのネットワーク構成は、図１に示す実施の形態１における画像形成システムのネットワーク構成と同じであり、実施の形態２の変形例における画像形成装置の内部構成は、図２に示す実施の形態１における画像形成装置の内部構成と同じである。
【００８４】
画像形成装置３０の制御部３２は、優先出力元選択画面作成部３３２をさらに備える。操作表示部３４は、優先出力元選択受付３４３をさらに備える。印刷データ判断部３２６は、印刷ジョブ判断部３２４によって印刷ジョブが記憶されていると判断された場合、ＵＳＢメモリ２０に印刷データが記憶されているか否かを判断する。
【００８５】
優先出力元選択画面作成部３３２は、印刷ジョブ判断部３２４によって印刷ジョブが記憶されていると判断され、かつ印刷データ判断部３２６によってＵＳＢメモリ２０に印刷データが記憶されていると判断された場合、印刷ジョブと印刷データとのうちのどちらを先に印刷するかをユーザに選択させるための優先出力元選択画面を作成する。優先出力元選択受付３４３は、印刷ジョブと印刷データとのうちのどちらを先に印刷するかのユーザによる選択を受け付ける。
【００８６】
印刷部３５は、優先出力元選択受付部３４３によって印刷ジョブの印刷データが選択された場合、印刷ジョブ記憶部３３１に記憶されている印刷ジョブのうち、ユーザ識別情報読出部３２２によって読み出されたユーザ識別情報に対応付けられている印刷データを印刷する。また、印刷データ読出部３２７は、印刷ジョブの印刷データが印刷された後、ＵＳＢメモリ２０から印刷データを読み出す。
【００８７】
さらに、印刷データ読出部３２７は、優先出力元選択受付部３４３によってＵＳＢメモリ２０の印刷データが選択された場合、ＵＳＢメモリ２０から印刷データを読み出す。また、印刷部３５は、ＵＳＢメモリ２０の印刷データが印刷された後、印刷ジョブ記憶部３３１に記憶されている印刷ジョブのうち、ユーザ識別情報読出部３２２によって読み出されたユーザ識別情報に対応付けられている印刷データを印刷する。
【００８８】
次に、実施の形態２の変形例における画像形成装置の動作について図７及び図８を用いて説明する。なお、実施の形態２の変形例における画像形成装置の動作は、実施の形態２における画像形成装置の動作とほぼ同じであるので、異なる処理についてのみ説明する。
【００８９】
図８のステップＳ２９において、優先出力元選択画面作成部３３２は、印刷ジョブの印刷データとＵＳＢメモリ２０の印刷データとのうちのどちらを先に印刷するかをユーザに選択させるための優先出力元選択画面を作成する。そして、ステップＳ３０において、優先出力元選択受付３４３は、印刷ジョブを先に実行するか否かを判断する。優先出力元選択受付３４３は、印刷ジョブ記憶部３３１に記憶されている印刷ジョブと、印刷データ記憶部２２に記憶されている印刷データとのうちのどちらを先に印刷するかのユーザによる選択を受け付ける。
【００９０】
ここで、印刷ジョブを先に実行すると判断された場合、ステップＳ３１〜Ｓ３３の処理が行われる。そして、ステップＳ３３において全ての印刷ジョブの印刷データを印刷したと判断された場合、印刷制御部３２９は、ＵＳＢメモリ２０の印刷データを印刷するか否かを判断する。ＵＳＢメモリ２０の印刷データを印刷すると判断された場合、ステップＳ３５の処理へ移行し、ＵＳＢメモリ２０の印刷データが印刷される。ＵＳＢメモリ２０の印刷データを印刷しないと判断された場合、ステップＳ２１の処理へ戻る。
【００９１】
一方、ステップＳ３０において、印刷ジョブを後で実行する、すなわちＵＳＢメモリ２０の印刷データを先に印刷すると判断された場合、ステップＳ３５〜Ｓ３９の処理が行われる。そして、ステップＳ３９において全ての印刷データを印刷したと判断された場合、印刷制御部３２９は、印刷ジョブの印刷データを印刷するか否かを判断する。印刷ジョブの印刷データを印刷すると判断された場合、ステップＳ３１の処理へ移行し、印刷ジョブの印刷データが印刷される。印刷ジョブの印刷データを印刷しないと判断された場合、ステップＳ２１の処理へ戻る。
【００９２】
なお、ステップＳ３３の処理の後、印刷ジョブを実行した旨を表すフラグを設定し、ステップＳ３９の処理の後、ＵＳＢメモリ２０の印刷データを印刷した旨を表すフラグを設定する。これらのフラグを参照することにより、ステップＳ３３の後の判断処理及びステップＳ３９の後の判断処理が行われる。すなわち、ステップＳ３３の後の判断処理では、ＵＳＢメモリ２０の印刷データを印刷した旨を表すフラグが設定されていない場合に、ＵＳＢメモリ２０の印刷データを印刷すると判断される。また、ステップＳ３９の後の判断処理では、印刷ジョブを実行した旨を表すフラグが設定されていない場合に、印刷ジョブの印刷データを印刷すると判断される。
【００９３】
このように、印刷ジョブが記憶されていると判断された場合、ＵＳＢメモリ２０に印刷データが記憶されているか否かが判断される。そして、ＵＳＢメモリ２０に印刷データが記憶されていると判断された場合、印刷ジョブの印刷データとＵＳＢメモリ２０の印刷データとのうちのどちらを先に印刷するかのユーザによる選択が受け付けられる。ここで、印刷ジョブの印刷データを先に印刷すると選択された場合、印刷ジョブ記憶部３３１に記憶されている印刷ジョブのうち、ＵＳＢメモリ２０から読み出されたユーザ識別情報に対応付けられている印刷データが印刷される。その後、ＵＳＢメモリ２０から印刷データが読み出され、ＵＳＢメモリ２０に記憶されている印刷データが一覧表示され、一覧表示された印刷データの中からユーザの選択した印刷データが印刷される。
【００９４】
一方、ＵＳＢメモリ２０の印刷データを先に印刷すると選択された場合、ＵＳＢメモリ２０から印刷データが読み出され、ＵＳＢメモリ２０に記憶されている印刷データが一覧表示され、一覧表示された印刷データの中からユーザの選択した印刷データが印刷される。その後、印刷ジョブ記憶部３３１に記憶されている印刷ジョブのうち、ＵＳＢメモリ２０から読み出されたユーザ識別情報に対応付けられている印刷データが印刷される。
【００９５】
したがって、印刷ジョブ記憶部３３１に印刷ジョブが記憶されており、かつＵＳＢメモリ２０に印刷データが記憶されている場合であっても、印刷ジョブの印刷データとＵＳＢメモリ２０の印刷データとをユーザが選択した順番で印刷することができる。
【図面の簡単な説明】
【００９６】
【図１】実施の形態１における画像形成システムのネットワーク構成図である。
【図２】図１に示す画像形成装置の内部構成図である。
【図３】実施の形態１における画像形成システムの構成を示すブロック図である。
【図４】実施の形態１における画像形成装置の動作について説明するための第１のフローチャートである。
【図５】実施の形態１における画像形成装置の動作について説明するための第２のフローチャートである。
【図６】実施の形態２における画像形成システムの構成を示すブロック図である。
【図７】実施の形態２における画像形成装置の動作について説明するための第１のフローチャートである。
【図８】実施の形態２における画像形成装置の動作について説明するための第２のフローチャートである。
【図９】実施の形態２の変形例における画像形成システムの構成を示すブロック図である。
【符号の説明】
【００９７】
１    画像形成システム
１０    外部機器
１１    印刷データ送信部
２０    ＵＳＢメモリ
２１    ユーザ識別情報記憶部
２２    印刷データ記憶部
３０    画像形成装置
３１    印刷データ受信部
３２    制御部
３３    記憶部
３４    操作表示部
３５    印刷部
３２１    印刷ジョブ生成部
３２２    ユーザ識別情報読出部
３２３    ユーザ認証部
３２４    印刷ジョブ判断部
３２５    印刷ジョブ抽出部
３２６    印刷データ判断部
３２７    印刷データ読出部
３２８    一覧表作成部
３２９    印刷制御部
３３１    印刷ジョブ記憶部
３４１    印刷データ選択受付部
【図１】
2008236364.tif 000003
【図２】
2008236364.tif 000004
【図３】
2008236364.tif 000005
【図４】
2008236364.tif 000006
【図５】
2008236364.tif 000007
【図６】
2008236364.tif 000008
【図７】
2008236364.tif 000009
【図８】
2008236364.tif 000010
【図９】
2008236364.tif 000011